(57)【要約】【課題】帳票に大きな折れ曲がりや反りを有する場合であってもその帳票を正しく読取ることができるようにする。【解決手段】帳票載置台に載置された帳票をスキャナで読取ったとき、該帳票に記入された罫線と識別可能な輪郭を有し、帳票の端部を押圧する押圧部６１が矩形状の枠に形成された帳票押板６を設け、帳票押板６の押圧部６１で帳票４の折れ曲がりや反りを伸ばした状態を保持するとともに該帳票４に記入された罫線を該帳票押板６の押圧部６１の輪郭と混同することなく読取るようにした。【選択図】        図４
2009029592.tif 000002
【特許請求の範囲】
【請求項１】
罫線や文字が記入された帳票を帳票載置台に載置し、その帳票を非接触型のスキャナで読取る帳票読取装置において、
帳票載置台に載置された帳票をスキャナで読取るとき、該帳票の端部を押圧する押圧部を有する帳票押板を設け、
前記帳票押板の押圧部で帳票の折れ曲がりや反りを伸ばした状態を保持するとともに前記押圧部の内周を罫線と平行しない形状の輪郭とすることにより、該帳票に記入された罫線を該帳票押板の押圧部の輪郭と混同することなく読取るようにしたことを特徴とする帳票読取装置。
【請求項２】
請求項１の帳票読取装置において、
前記帳票押板の一辺の枠に形成されたガイド孔と、
帳票載置台に固着され、前記ガイド孔に嵌通して前記帳票押板を所定の位置に案内して固定する帳票押板ガイドとを設けたことを特徴とする帳票読取装置。
【請求項３】
請求項１または請求項２の帳票読取装置において、
前記押圧部を、前記帳票押板の四辺の枠からそれぞれ中央部に向けて斜めに突出し、尖った先端部を有する突出部としたことを特徴とする帳票読取装置。
【請求項４】
請求項１または請求項２の帳票読取装置において、
前記押圧部を、前記帳票押板の四辺の枠から中央部に向けて複数の細線が斜めに突出した網目状の格子部としたことを特徴とする帳票読取装置。
【請求項５】
請求項１から請求項３または請求項４の帳票読取装置において、
前記帳票押板を、明度の低い部材を被覆し、帳票の折れ曲がりや反りを伸ばした状態を保持するのに充分な重量を有する金属材としたことを特徴とする帳票読取装置。
【請求項６】
請求項１から請求項４または請求項５の帳票読取装置において、
前記帳票押板ガイドは、当接する帳票の左端をスキャナで読取る位置に案内するようにしたことを特徴とする帳票読取装置。
【発明の詳細な説明】
【技術分野】
【０００１】
本発明は、紙面に罫線や文字が記入された帳票の画像データを非接触スキャナで読取る帳票読取装置に関し、特に折れ曲がった帳票や反った帳票の浮き上がりを押さえて帳票を読取る帳票読取装置に関する。
【背景技術】
【０００２】
帳票載置台に載置された帳票をその帳票から離れた非接触スキャナで読取る従来の帳票読取装置は、読取ったときに生ずる画像の歪みを補正して折れ曲がった帳票や反った帳票など空間的に曲がった帳票を読取るようにしている（例えば、特許文献１参照）。
【特許文献１】特開２００４−２２８７５９号公報（段落「０００９」〜段落「００１０」、図１）
【発明の開示】
【発明が解決しようとする課題】
【０００３】
しかしながら、上述した従来の技術においては、空間的に曲がった帳票を読取ったときに生ずる画像の歪みを補正することにより僅かな折れ曲がりや反りがある帳票を読取ることができるようになるが、渉外活動を行った営業員が持ち込んだ帳票や郵送等された帳票は大きな折れ曲がりや反りを有する場合があり、そのような帳票の画像の歪みを補正しても正しく読取ることができないことがあるという問題がある。
【０００４】
また、大きな折れ曲がりや反りを有する帳票を読取る場合、ガラス板やアクリル板等の透明な部材で帳票を抑えて非接触スキャナで読取るようにすることも考えられるが、照明等の外光をその透明な部材が反射してしまい十分な読取りの精度を確保することができないという問題がある。
さらに、図９に示す中央部をくり抜いた矩形状の枠１０６の内周の輪郭が帳票１０４に記入された水平および垂直方向の罫線１４１と混同され、誤って認識されてしまうという問題がある。
【０００５】
本発明は、このような問題を解決することを課題とする。
【課題を解決するための手段】
【０００６】
そのため、本発明は、罫線や文字が記入された帳票を帳票載置台に載置し、その帳票を非接触型のスキャナで読取る帳票読取装置において、帳票載置台に載置された帳票をスキャナで読取るとき、該帳票の端部を押圧する押圧部を有する帳票押板を設け、前記帳票押板の押圧部で帳票の折れ曲がりや反りを伸ばした状態を保持するとともに前記押圧部の内周を罫線と平行しない形状の輪郭とすることにより、該帳票に記入された罫線を該帳票押板の押圧部の輪郭と混同することなく読取るようにしたことを特徴とする。
【発明の効果】
【０００７】
このようにした本発明は、帳票に大きな折れ曲がりや反りを有する場合があってもその帳票を正しく読取ることができるようになるという効果が得られる。
また、帳票押板の内周の輪郭が帳票に記入された罫線と混同されることがなく、罫線を正確に認識処理することができるという効果が得られる。したがって、帳票に記入された罫線や文字を正確に認識処理することができるという効果が得られる。
【発明を実施するための最良の形態】
【０００８】
以下、図面を参照して本発明による帳票読取装置の実施例を説明する。
【実施例１】
【０００９】
図１は第１の実施例における帳票読取装置の平面説明図、図２は第１の実施例における帳票読取装置の正面説明図である。
図１および図２において、１は帳票読取装置であり、紙面に罫線や文字が記入された帳票の画像データを非接触スキャナで読取るものである。
２は帳票載置台であり、外光を反射させることがない明度の低い樹脂等で形成され、帳票を載置するためのマットである。この帳票載置台２には記入された罫線や文字が上面になるように帳票を載置する。
【００１０】
３はスキャナであり、いわゆるデジタルカメラ等で構成され、帳票の画像データ（イメージデータ）を取得するためのものである。このスキャナ３は帳票載置台２の上方に設置され、帳票載置台２に載置された帳票に記入された罫線や文字を撮影し、ディジタルデータである画像データとして読取ることができるようになっている。
４は帳票であり、上述したように罫線や文字が記入された紙面である。なお、帳票４は明度の高い、例えば白色の紙面である。
【００１１】
５は帳票押板ガイドであり、帳票載置台２に固着された棒状のものである。この帳票押板ガイド５は後述する帳票押板を所定の位置に案内して固定するためのものである。なお、本実施例では、帳票押板ガイド５を複数本の円柱状のものとして説明するが、それに限られることなく帳票押板を所定の位置に案内して固定することができるものであれば一本の角柱状のものとしてもよい。
【００１２】
また、帳票４の左端部をこの帳票押板ガイド５に当接させて帳票載置台２に載置することにより、帳票４をスキャナ３で読取ることができる所定の位置に配置することができるようになっている。なお、帳票載置台２には帳票４の上下方向を所定の位置に配置することができるように矢印等の案内表示が描かれているものとする。
次に、帳票押板を図３の第１の実施例における帳票押板の説明図に基づいて説明する。
【００１３】
図３において、６は帳票押板であり、帳票載置台２に載置された帳票４の四辺の端部を押圧して折れ曲がりや反りを伸ばした状態で帳票４を固定するためのものである。この帳票押板６は、矩形状の枠の内周に、尖った先端部を内側に向けた突出部６１が複数形成されたものである。
また、突出部６１は、その輪郭がスキャナ３で読取られても帳票４に記入された罫線と混同することがないように帳票押板６の枠から斜めに突出するように形成されている。
【００１４】
さらに、帳票押板６は、外光を反射させないようにするため金属板等の部材に帳票載置台２と同様の部材が被覆され、黒色等の明度の低い色となるように形成されている。
なお、本実施例では、帳票押板６は、尖った先端部を内側に向けた突出部６１が複数形成されたものとして説明するが、それに限られることなく帳票載置台２に載置された帳票４に記入された罫線と識別可能な形状の輪郭（例えば、罫線と平行しない形状の輪郭）を有するものであれば円形状や山状の突出部６１が形成されたものであってもよい。
【００１５】
また、帳票押板６は、帳票載置台２に載置された帳票４の折れ曲がりや反りを伸ばした状態を保持するのに充分な重量を有するものとする。
７はガイド孔であり、帳票押板６の一辺を形成する枠に設けられた貫通孔である。このガイド孔７に帳票押板ガイド５を嵌通させて帳票押板６を帳票載置台２に載置することでその帳票押板６を所定の位置に案内して固定することができるようになっている。
【００１６】
このように帳票読取装置１は帳票載置台２、スキャナ３、帳票押板ガイド５、帳票押板６、および制御手段ならびに演算手段等からなる図示しない制御部等で構成され、図示しない記憶部に記憶された制御プログラム（ソフトウェア）に基づいて制御部が帳票読取装置１全体の動作を制御する。
上述した構成の作用について説明する。
【００１７】
図４の第１の実施例における帳票読取装置で帳票を読取るときの説明図に基づいて説明する。
まず、操作者は帳票４の折れ曲がりや反りを伸ばした状態でその左端部を帳票押板ガイド５に突き当てて帳票載置台２の所定の位置に載置する。
帳票載置台２に折れ曲がりや反りを伸ばした状態で帳票４を載置するとその状態を保ちながら帳票押板６のガイド孔７に帳票押板ガイド５が貫通するように帳票載置台２に載置して帳票４の端部を突出部６１で押圧し、図４に示すように帳票４の折れ曲がりや反りを伸ばした状態を保持する。
【００１８】
帳票押板６は金属板で形成され充分な重量を有しているため、帳票４の折れ曲がりや反りを伸ばした状態を保持することができるようになっている。
帳票押板６で帳票４を保持し、操作者の帳票を読取る操作を図示しない操作部で受け付けると制御部はスキャナ３で帳票４の画像データを読取り、その画像データを記憶部に記憶させる。
【００１９】
スキャナ３で読取った画像データは、例えば図５に示すように帳票押板６を含む帳票４の画像データとなる。
ここで、スキャナ３で読取った画像データから背景となる明度の低い帳票載置台２および帳票押板６の部分と明度の高い帳票４の部分を分離して抽出し、その明度の低い帳票載置台２および帳票押板６の画像は認識処理から除外し、明度の高い帳票４の画像データを認識処理の対象とする。
【００２０】
このようにして読取られた画像データは、制御部により帳票４に記入された罫線４１および文字４２の認識処理が施され、帳票の処理が行われる。
このように帳票押板６および突出部６１は、中央部がくり抜かれた矩形状の枠で形成され、帳票４をガラス等で覆っていないため、外光の反射により認識処理の精度が低下することがない。
【００２１】
また、罫線の認識処理においては水平および垂直方向の線分の特徴を抽出するようにしているところ、突出部６１を帳票押板６の枠から斜めに突出するように形成し、その輪郭は水平および垂直方向の線分になることがないようにしているため、スキャナ３で読取られても帳票４に記入された罫線４１と混同することがなく、帳票４に記入された罫線４１を正確に認識処理することができる。
【００２２】
以上説明したように、第１の実施例では、帳票押板６で帳票４の端部を押圧して折れ曲がりや反りを伸ばした状態で帳票４を固定することにより、大きな折れ曲がりや反りを有する場合があっても帳票４を正しく読取ることができるようになるという効果が得られる。
また、帳票押板６を明度の低い部材で被覆することにより、外光を反射させることなく帳票４を正しく読取ることができるようになるという効果が得られる。
【００２３】
さらに、突出部６１を帳票押板６の枠から斜めに突出するように形成することにより、その輪郭がスキャナ３で読取られても帳票４に記入された罫線４１と混同することがなく、帳票４に記入された罫線４１を正確に認識処理することができるという効果が得られる。
【実施例２】
【００２４】
次に、第２の実施例を説明する。
第２の実施例の構成は、帳票押板の構成が第１の実施例の構成と異なるものである。
その帳票押板を図６の第２の実施例における帳票押板の説明図に基づいて説明する。なお、上述した第１の実施例と同様の部分は、同一の符号を付してその説明を省略する。
図６において、８は帳票押板であり、帳票載置台２に載置された帳票４の四辺の端部を押圧して折れ曲がりや反りを伸ばした状態で帳票４を固定するためのものである。この帳票押板８は、矩形状の枠に、内側に向けて網目状の格子部８１が形成されたものである。
【００２５】
また、格子部８１は、スキャナ３で読取られても帳票４に記入された罫線と混同することがないように帳票押板８の枠から細線が斜めに突出し、その細線が交差するように形成されている。
さらに、帳票押板８は、外光を反射させないようにするため金属板等の部材に帳票載置台２と同様の部材が被覆され、黒色等の明度の低い色となるように形成されている。
【００２６】
なお、帳票押板８は、帳票載置台２に載置された帳票４の折れ曲がりや反りを伸ばした状態を保持するのに充分な重量を有するものとする。
７はガイド孔であり、帳票押板８の一辺を形成する枠に設けられた貫通孔である。このガイド孔７に帳票押板ガイド５を貫通させて帳票押板８を帳票載置台２に載置することでその帳票押板８を所定の位置に案内して固定することができるようになっている。
【００２７】
上述した構成の作用について説明する。
図７の第２の実施例における帳票読取装置で帳票を読取るときの説明図に基づいて説明する。
まず、操作者は帳票４の折れ曲がりや反りを伸ばした状態でその左端部を帳票押板ガイド５に突き当てて帳票載置台２の所定の位置に載置する。
【００２８】
帳票載置台２に折れ曲がりや反りを伸ばした状態で帳票４を載置するとその状態を保ちながら帳票押板８のガイド孔７に帳票押板ガイド５が貫通するように帳票載置台２に載置して帳票４の端部を格子部８１で押圧し、図７に示すように帳票４の折れ曲がりや反りを伸ばした状態を保持する。
帳票押板８は金属板で形成され充分な重量を有しているため、帳票４の折れ曲がりや反りを伸ばした状態を保持することができるようになっている。
【００２９】
帳票押板８で帳票４を保持し、操作者の帳票を読取る操作を図示しない操作部で受け付けると制御部はスキャナ３で帳票４の画像データを読取り、その画像データを記憶部に記憶させる。
スキャナ３で読取った画像データは、例えば図８に示すように帳票押板８を含む帳票４の画像データとなる。
【００３０】
ここで、スキャナ３で読取った画像データから背景となる明度の低い帳票載置台２および帳票押板８の部分と明度の高い帳票４の部分を分離して抽出し、その明度の低い帳票載置台２および帳票押板８の画像は認識処理から除外し、明度の高い帳票４の画像データを認識処理の対象とする。
このようにして読取られた画像データは、制御部により帳票４に記入された罫線４１および文字４２の認識処理が施され、帳票の処理が行われる。
【００３１】
このように帳票押板８および格子部８１は、中央部がくり抜かれた矩形状の枠で形成され、帳票４をガラス等で覆っていないため、外光の反射により罫線や文字の認識処理の精度が低下することがない。
また、罫線の認識処理においては水平および垂直方向の線分の特徴を抽出するようにしているところ、格子部８１は、帳票押板８の枠から斜めに突出するように形成されているため、その輪郭がスキャナ３で読取られても帳票４に記入された罫線４１と混同することがなく、帳票４に記入された罫線４１を正確に認識処理することができる。
【００３２】
なお、帳票押板８は折れ曲がりや反りを有する帳票を読取る場合のみ使用するようにしてもよい。
以上説明したように、第２の実施例では、第１の実施例の効果に加え、帳票４を押圧する部位（格子部８１）を格子状にしたことにより、その輪郭がスキャナ３で読取られても帳票４に記入された罫線４１と混同することがなく、帳票４に記入された罫線４１をより正確に認識処理することができるという効果が得られる。
【００３３】
なお、上述した第１の実施例および第２の実施例において、帳票押板は折れ曲がりや反りを有する帳票を読取る場合のみ使用するようにしてもよい。
また、スキャナで読取った帳票の画像データに帳票押板が含まれることで帳票に記入された文字の認識処理で文字位置のずれが生じる場合には、帳票の端部を認識する処理においてその帳票押板の画像を除外する処理を施すようにしてもよい。
【００３４】
さらに、帳票がホチキス止め等され、帳票押板が浮き上がってしまう場合には帳票押板の端部（スキャナの視野外）に適度な重量を有する錘をつけるようにしてもよい。
【図面の簡単な説明】
【００３５】
【図１】第１の実施例における帳票読取装置の平面説明図
【図２】第１の実施例における帳票読取装置の正面説明図
【図３】第１の実施例における帳票押板の説明図
【図４】第１の実施例における帳票読取装置で帳票を読取るときの説明図
【図５】第１の実施例におけるスキャナで読取った画像データの説明図
【図６】第２の実施例における帳票押板の説明図
【図７】第２の実施例における帳票読取装置で帳票を読取るときの説明
【図８】第２の実施例におけるスキャナで読取った画像データの説明図
【図９】従来の帳票押板の説明図
【符号の説明】
【００３６】
１    帳票読取装置
２    帳票載置台
３    スキャナ
４    帳票
５    帳票押板ガイド
６、８    帳票押板
６１、８１  突出部
７    ガイド孔
【図１】
2009029592.tif 000003
【図２】
2009029592.tif 000004
【図３】
2009029592.tif 000005
【図４】
2009029592.tif 000006
【図５】
2009029592.tif 000007
【図６】
2009029592.tif 000008
【図７】
2009029592.tif 000009
【図８】
2009029592.tif 000010
【図９】
2009029592.tif 000011